(57)【要約】【課題】本発明はサイフォン開始時間を早めるための配管システムであって、正圧の際のエアを上段の配管内に逃出し、これにより下段の横引き配管内に早期の排水が満たされ、これにサイフォン力をいち早く与えるようにしたものである。【解決手段】水回り器具からの横引き配管と、当該横引き配管を垂下させたサイフォン排水システムにおいて、横引き配管を上下２段に分岐し上段配管をル−プ状に配置し、下段の配管をサイフォン排水系とし、上段の配管を配管内が正圧時のエアの逃出部位としたことを特徴とするル−プ配管システムであり、特に、ル−プ部位が閉鎖された配管系であるシステム。１‥水回り器具、２‥横引き配管、２ａ‥上段配管、２ｂ‥下段配管、４‥立て管、５‥合流部、６‥横引き配管の垂下部。【選択図】図２
2006336320.tif 000002
【特許請求の範囲】
【請求項１】
水回り器具からの横引き配管と、当該横引き配管を垂下させたサイフォン排水システムにおいて、横引き配管を上下２段に分岐し上段配管をル−プ状に配置し、下段の配管をサイフォン排水系とし、上段の配管を配管内が正圧時のエアの逃出部位としたことを特徴とするル−プ配管システム。
【請求項２】
ル−プ部位が閉鎖された配管系である請求項１記載のル−プ配管システム。
【発明の詳細な説明】
【技術分野】
【０００１】
本発明はサイフォン式排水システムの改良に関するものである。
【背景技術】
【０００２】
従来の排水システムにあっては、水回り器具から立て管までの横引き配管に所定の勾配を付ける必要があり、床下の高さが比較的高い構造となってしまう。そして、横引き配管の管径も比較的太いものが必要とされ、又、立て管への合流部位は水回り器具と同一の床面に合流継手が配置されるものである。かかる合流継手は比較的大きな継手であり、スペ−ス的にも大きな問題となっており、更には、排水の合流時に発生する騒音の問題も発生している。
【０００３】
このような従来の排水システムに対して、近年になりサイフォン排水システムが開発されている（特許文献１）。かかる排水システムは図１に示すように水回り器具１からの横引き配管２は途中で他の横引き配管と合流することなく床３面に勾配をもたせずに配管するものであり、これを立て管４まで導くものである。立て管４への合流部位は水回り器具１の床３面よりも低い位置例えば一階分低い位置に合流部５を配置し、これに向かって横引き配管２を垂下６させたものである。かかる垂下距離Ｈｓがサイフォン力の原動力となるものであり、横引き配管２内の水を吸引して排水するものである。かかるサイフォン排水システムにおいては、必ず一器具一排水で配管し、配管途中に分岐や合流をすることがなかった。
【０００４】
【特許文献１】特開２０００−２９７４４７号公報
【０００５】
サイフォン排水システムを採用する際、重要なファクタ−として排水処理流量とサイフォン開始時間がある。このうち、排水処理流量を上げるためにはＨｓを大きくするか、管径を太くする手段があり、更には２本配管にする方法があった。しかし、前者の二つはサイフォン開始時間を遅らせる原因となっており、２本配管にあっては、サイフォン開始時間を多少解消することができたが、基本的には処理流量を上げることが目的であり、サイフォン開始時間を早めるようにするためだけに用いるのは過剰スペックであり、コストも作業性も嵩むものであり、処理しなければならない流量が小さいが、サイフォン開始時間だけを早めたい方法はなかった。
【０００６】
サイフォン排水システムにおいて、例えばユニットバスに適用した際、サイフォン開始時間が遅い場合には排水量が一時に多量のものであると、排水の開始が遅くなるため、排水が逆流するような現象となり、例えば、浴槽から大量の排水があった場合、サイフォン開始時間が遅いと、洗い場の排水口より逆に排水が噴き上がってしまうという現象があった。
【発明の開示】
【発明が解決しようとする課題】
【０００７】
本発明は、サイフォン排水システムにおいて、サイフォン開始時間を早めるための配管システムを提供するものである。
【課題を解決するための手段】
【０００８】
本発明の要旨は、水回り器具からの横引き配管と、当該横引き配管を垂下させたサイフォン排水システムにおいて、横引き配管を上下２段に分岐し上段配管をル−プ状に配置し、下段の配管をサイフォン排水系とし、上段の配管を配管内が正圧時のエアの逃出部位としたことを特徴とするル−プ配管システムであり、前記のル−プ部位が閉鎖された配管系であるシステムがよい。
【発明の効果】
【０００９】
本発明は、サイフォン開始時間を早めるための配管システムであって、正圧の際のエアを上段の配管内に逃出し、これにより下段の横引き配管内に早期の排水が満たされ、これにサイフォン力をいち早く与えるようにしたものである。
【発明を実施するための最良の形態】
【００１０】
サイフォン排水システムにおいて、例えば、横引き配管が長い場合には管内が満水になる時間が長くなり、その後サイフォン力がもたらされるため、一つの水回り器具から大量の排水があった場合、これが適時に排水できない場合がある。この理由は満水になる際には横引き配管の先端側が正圧となり水が先端側に進みにくくなることが挙げられる。本発明はこの正圧をいち早く取り除いて満水とすべき、そしてサイフォン力をいち早く配管内の排水に与える構造としたものである。
【００１１】
このため、本発明では、横引き配管を上下の二段の閉鎖したル−プを形成するものである。従って、排水が横引き管内に流された場合、本来であれば、横引き配管の先端側が正圧となってしまい、配管内が短時間で満水状態とはならないが、本発明のル−プ配管にあっては、上段の配管の先端側よりエア−が押されて逃げ込み、本来のサイフォン現象がもたらされる下段の配管内は速やかに満水となり、ここに早い時期でのサイフォン力の発生を見るものである。一方、上段の配管は上記したようにル−プ状となっているので、配管内のエアは後端側（水回り器具側）より下段の配管内に吸引され、排水と共に排出されることになる。これはサイフォン力が発生した際には配管内が負圧となるからである。
【００１２】
勿論、通常はこのル−プ配管は閉鎖系であって、外部からエアが入り込むことはなく、サイフォン開始後は、基本的に外部からエアを吸い取らない構造にしたものであり、サイフォン開始時間を早めることを可能にした上で、サイフォン開始後もエアを吸うことによるサイフォン力の低下をなくしたものである。
【００１３】
言い換えれば、サイフォン排水において、配管内の圧力はサイフォン開始までは正圧となり、サイフォンが開始すると負圧になる。そのため、本発明は正圧の際に配管内のエアがサイフォン発生をもたらす配管内よりやすい構造にすることで、サイフォン開始時間が早くすることができたものである。ただし、単に通気の管を備えただけでは、サイフォン開始後の負圧になった際に今度はエアを吸い込み、サイフォンが切れるため、間欠サイフォンとなってしまうので好ましくないが、本発明はかかる欠点を解消したものであると言える。
【実施例】
【００１４】
以下、本発明のル−プ配管システムを図をもって説明する。図２は本発明のシステムの全体図であり、横引き配管２は上下に分岐（２ａ、２ｂ）してル−プ状をなし、上段の配管２ａ内に正圧時のエアを逃出させるものである。エアは上段の配管２ａの先端側より排水に押されて逃げ込み、サイフォン力がもたらされる下段の配管２ｂ内が速やかに満水となるものである。尚、符号１〜６は図１にて説明した通りであり、ここでは詳しい説明は省略する。
【００１５】
配管の分岐にあっては、図３に示すようなチ−ズ継手といわれる分岐継手１０が好ましいが、特に限定はない。この分岐継手１０にあっては、通常Ｔ字型継手が用いられ、三方の夫々に管体の接続ができる各部材が内蔵されているものであり、例えば、管体（横引き配管）の外表面に接してシ−ルするＯリング１１、管体保持リング１２を内蔵するものであり、これらの抜けや差し込まれる管体の抜けを防止するためのキャップ１３にて構成されている。尚、管体についても特に限定されるものではないが、通常は２０Ａ程度のポリブテンや架橋ポリエチレンパイプが用いられる。
【００１６】
図４はサイフォン開始前の横引き配管２内の状態を示す。即ち、横引き配管２の下段の配管２ｂ内に水Ｗが流れ込み徐々に満水となると、横引き配管２内のエアは押され、正圧となる。従って、下段２ｂの配管内は満水になりにくい状態となる。この時、上段の配管２ａ内にエアを逃してやれば（矢印）、配管２ｂ内の満水が早まりこれによってサイフォン開始時間が早まることとなる。
【００１７】
サイフォン開始後は、配管２ｂ内は負圧になり、ここにエアが入り込まないル−プ状となっているため、外部からのエアの入り込みによるサイフォン力の低下を防ぐ構造となっている。尚、上段の配管２ａ内のエアはサイフォンによる排水とともに先端側より押されて同時に排出されるのが一般的である。
【産業上の利用可能性】
【００１８】
本発明のシステムは、サイフォン開始前の配管内が満水となる際に管内のエア（正圧）を逃すために横引き配管を分岐させたものであり、これによって本来のサイフォン力がもたらされる配管内のエアが抜け、配管内の満水が早まりこれによってサイフォン開始時間が早まり、負圧になった際にはエアが入り込まない構造としたもので、サイフォン排水が間欠とならずスム−ズに排水が可能となったものである。従って、本発明のシステムはサイフォン排水システムの全てに利用できるものとなった。
【図面の簡単な説明】
【００１９】
【図１】図１は従来のサイフォン排水システムを示す概念図である。
【図２】図２は本発明のサイフォン排水システムを示す概念図である。
【図３】図３は本発明に好んで用いられるチ−ズ継手の一部断面図である。
【図４】図４は本発明の正圧時の状態を示す図である。
【符号の説明】
【００２０】
１‥水回り器具、
２‥横引き配管、
２ａ‥上段配管、
２ｂ‥下段配管、
３‥床、
４‥立て管、
５‥合流部、
６‥横引き配管の垂下部、
１０‥分岐継手、
１１‥Ｏリング、
１２‥管体保持リング、
１３‥キャップ。
【図１】
2006336320.tif 000003
【図２】
2006336320.tif 000004
【図３】
2006336320.tif 000005
【図４】
2006336320.tif 000006